(57)【特許請求の範囲】
【請求項１】
水道水栓パイプ（１）の水道水を前処理フィルタ（２）に通し、本フィルタ（３）に導き、前記前処理フィルタ（２）および前記本フィルタ（３）によって前記水道水を浄化する浄水器であって、前記前処理フィルタ（２）と一体の円筒状の弁体（４）を水平に配置されるケーシング（５）の内孔に挿入するとともに、前記ケーシング（５）に第１および第２軸方向位置（Ｘ１），（Ｘ２）を選定し、前記ケーシング（５）の第１軸方向位置（Ｘ１）において、その上壁に第１入口ポート（８）を形成し、下壁に第１出口ポート（１３）を形成し、前記ケーシング（５）の第２軸方向位置（Ｘ２）において、その上壁に第２入口ポート（９）を形成し、下壁に第２出口ポート（１４）を形成し、前記第１および第２入口ポート（８），（９）と前記第１および第２出口ポート（１３），（１４）を互いに１８０°の角度間隔を置いて前記ケーシング（５）の内孔に開口させ、さらに、前記ケーシング（５）の第１軸方向位置（Ｘ１）において、その一側壁に第１接続ポート（１７）を形成し、他側壁に第３出口ポート（２３）を形成し、前記ケーシング（５）の第２軸方向位置（Ｘ２）において、その一側壁に第２接続ポート（１８）を形成し、前記第１および第２接続ポート（１７），（１８）および前記第３出口ポート（２３）を前記第１および第２入口ポート（８），（９）および前記第１および第２出口ポート（１３），（１４）から９０°の角度間隔を置いて前記ケーシング（５）の内孔に開口させ、前記第１接続ポート（１７）を前記本フィルタ（３）の一端（２１）に接続し、前記第２接続ポート（１８）を前記本フィルタ（３） の他端（２２）に接続し、さらに、前記弁体（４）に第１、第２、第３および第４連通路（２４）〜（２７）を形成し、前記第１連通路（２４）の一端（２８）を前記前処理フィルタ（２）の一端（２９）に連通させるとともに、前記第２連通路（２５）の一端（３０）を前記前処理フィルタ（２）の他端（３１）に連通させ、前記ケーシング（５）の第１軸方向位置（Ｘ１）において、前記第１および第２連通路（２４），（２５）の他端（３２），（３３）を互いに９０°の角度間隔を置いて前記弁体（４）の外周面に開口させ、前記ケーシング（５）の第１軸方向位置（Ｘ１）において、前記第３連通路（２６）の一端（３４）を前記第１連通路（２４）の他端（３２）の開口位置から１８０°の角度間隔を置いて前記弁体（４）の外周面に開口させ、前記第３連通路（２６）の他端（３５）を前記第２連通路（２５）の他端（３３）の開口位置から１８０°の角度間隔を置いて前記弁体（４）の外周面に開口させ、さらに、前記ケーシング（５）の第２軸方向位置（Ｘ２）において、前記第４連通路（２７）の一端（３６）を前記第２連通路（２５）の他端（３３）の開口位置に対応する角度位置で前記弁体（４）の外周面に開口させ、前記第４連通路（２７）の他端（３７）を前記第１連通路（２４）の他端（３２）の開口位置から１８０°の角度間隔を置いて前記弁体（４）の外周面に開口させ、前記ケーシング（５）を前記水道水栓パイプ（１）に取り付け、前記第１および第２入口ポート（８），（９）を前記水道水栓パイプ（１）に連通させ、前記水道水栓パイプ（１）の��道水が前記第１入口ポート（８）を通り、前記前処理フィルタ（２）および前記本フィルタ（３）に導かれ、前記前処理フィルタ（２）および前記本フィルタ（３）によって前記水道水が浄化され、その浄水が前記第２出口ポート（１４）に導かれ、排出され、前記前処理フィルタ（２）および前記本フィルタ（３）が洗浄されるとき、前記水道水栓パイプ（１）の水道水が前記第１入口ポート（８）を通り、前記前処理フィルタ（２）に導かれ、前記第３出口ポート（２３）を通り、排出され、前記第２入口ポート（９）を通り、前記本フィルタ（３）に導かれ、前記第１出口ポート（１３）を通り、排出されるようにしたことを特徴とする浄水器。
【請求項２】
前記ケーシング(5) の端壁に第４出口ポート(38)を形成し、前記弁体(4) に第５連通路(39)を形成し、前記第５連通路(39)の一端(40)を前記第４出口ポート(38)に連通させるとともに、前記ケーシング(5) の第２軸方向位置(X2)において、前記第５連通路(39)の他端(41)を前記第４連通路(27)の一端(36)の開口位置から１８０°の角度間隔を置いて前記弁体(4) の外周面に開口させたことを特徴とする請求項１に記載の浄水器。
【発明の詳細な説明】
【０００１】
【産業上の利用分野】
この発明は、水道水栓パイプの水道水を浄化する浄水器に関するものである。
【０００２】
【従来技術とその問題点】
図１４は従来の浄水器を示す。この浄水器は水道水栓パイプの水道水を浄化するためのもので、前処理フィルタＡおよび本フィルタＢを有し、前処理フィルタＡは本処理フィルタＢに連結され、接続されている。そして、これが床面または他の設置場所に設置され、切り換えコックＣが水道水栓パイプに取り付けられ、ホースＤによって切り換えコックＣと前処理フィルタＡが接続される。本フィルタＢは浄水を排出する浄水管Ｅを有する。したがって、水道水栓パイプの水道水が切り換えコックＣ、ホースＤおよび前処理フィルタＡを通り、本フィルタＢに導かれ、前処理フィルタＡおよび本フィルタＢによって水道水が浄化され、その浄水が浄水管Ｅから排出される。切り換えコックＣによって水道水の流路を切り換え、水道水をホースＤ、前処理フィルタＡおよび本フィルタＢに通さず、切り換えコックＣから排出することもできる。
【０００３】
この浄水器の場合、たとえば、本フィルタＢの濾過材としてイオン交換樹脂または活性炭を使用し、水道水が本フィルタＢを通るとき、イオン交換樹脂または活性炭によって水道水を浄化し、良質の浄水を得ることができる。さらに、前処理フィルタＡの濾過材に中空糸または不織布を使用し、水道水が本フィルタＢに導かれる前、中空糸または不織布によって水藻、ゴミおよび鉄さびを除去することができる。これによって本フィルタＢを保護することができ、水藻、ゴミおよび鉄さびは本フィルタＢに入らない。したがって、本フィルタＢの寿命が長く、経済的である。
【０００４】
ところで、この浄水器の前処理フィルタＡについては、水道水の水藻、ゴミおよび鉄さびによって前処理フィルタＡが汚れ、前処理フィルタＡに細菌がわきやすく、これを頻繁に洗浄することが好ましい。本フィルタＢも同様であり、これを頻繁に洗浄することが好ましい。しかしながら、前処理フィルタＡおよび本処理フィルタＢを頻繁に洗浄することは事実上困難であり、その汚れに対処することができないという問題がある。
【０００５】
なお、洗浄の問題については、図１５に示す形式の浄水器も一般に使用されているが、この浄水器に洗浄の問題はない。この浄水器は２本のホースＦ，Ｇを有する。そして、ホースＦ，Ｇによって切り換えコックＣと本フィルタＢが接続され、水道水栓パイプの水道水がホースＦを通り、本フィルタＢに導かれ、本フィルタＢによって水道水が浄化され、その浄水がホースＧを通り、切り換えコックＣに戻され、排出される。この浄水器の場合、切り換えコックＣによって水道水の流路を切り換えると、水道水をホースＧに通し、本フィルタＢに逆流させ、ホースＦに通し、切り換えコックＣに戻し、排出することができる。したがって、水道水の逆流によって本フィルタＢを洗浄することができ、これを頻繁に洗浄することができる。しかしながら、図１４の浄水器と異なり、図１５の浄水器に前処理フィルタＡはなく、その中空糸または不織布によって水藻、ゴミおよび鉄さびを除去することはできず、本フィルタＢを保護することはできない。
【０００６】
これに関連し、図１６に示すように、前処理フィルタＡを本処理フィルタＢに連結し、接続した浄水器において、ホースＦによって切り換えコックＣと前処理フィルタＡを接続し、ホースＧによって本処理フィルタＢと切り換えコックＣを接続することも考えられる。この場合、水道水栓パイプの水道水を切り換えコックＣ、ホースＦおよび前処理フィルタＡに通し、本処理フィルタＢに導き、前処理フィルタＡおよび本処理フィルタＢによって水道水を浄化し、その浄水をホースＧに通し、切り換えコックＣに戻し、排出することができる。そして、切り換えコックＣによって水道水の流路を切り換えると、水道水を切り換えコックＣ、ホースＧおよび本フィルタＢに通し、前処理フィルタＡに逆流させ、ホースＦに通し、切り換えコックＣに戻し、排出することもできる。しかしながら、それで洗浄の問題が解決するわけではない。水道水を本フィルタＢに通し、前処理フィルタＡに逆流させても、本フィルタＢによって水道水が汚れ、それが前処理フィルタＡに導かれるだけである。前処理フィルタＡおよび本フィルタＢを個別に洗浄することはできず、意味はない。
【０００７】
したがって、これまで、洗浄に水道水の逆流を使用することができるのは前処理フィルタＡのない浄水器に限られていたものである。前処理フィルタＡのある浄水器については、前処理フィルタＡの中空糸または不織布によって水藻、ゴミおよび鉄さびを除去し、本フィルタＢを保護することはできるが、水道水の逆流によって前処理フィルタＡおよび本フィルタＢを洗浄することはできず、これが前処理フィルタＡのある浄水器の欠点であった。
【０００８】
さらに、前処理フィルタＡのある浄水器の場合、本処理フィルタＢの濾過材はともかく、前処理フィルタＡの濾過材を周期的に交換する必要があるが、前処理フィルタＡおよび本フィルタＢが床面または他の設置場所に設置されるとき、それは限られたスペースに設置されることが多い。このため、限られたスペースで前処理フィルタＡの濾過材を交換せねばならず、その作業は面倒であり、容易ではない。
【０００９】
この他、図１４または図１６の浄水器において、本フィルタＢの濾過材にイオン交換樹脂を使用したとき、長期間経過すると、それによってイオン交換樹脂の軟水化作用が劣化するが、ナトリウムまたはカリウムによってその軟水化作用を再生することができるのは周知のとおりである。これを達成するには、再生ケースにナトリウムまたはカリウムを充填し、前処理フィルタＡを本フィルタＢから取り外し、再生ケースと交換すればよい。さらに、ホースＤ，Ｆを再生ケースに接続し、水道水を再生ケースに通し、本フィルタＢに導くと、ナトリウムまたはカリウムによってイオン交換樹脂の軟水化作用を再生することができる。しかしながら、その後、前処理フィルタＡと再生ケースを再度交換し、ホースＤ，Ｆをそれに接続する必要があり、限られたスペースで前処理フィルタＡと再生ケースを交換し、ホースＤ，Ｆを接続せねばならず、その作業は容易ではない。
【００１０】
濾過材に活性炭を使用した本フィルタＢにおいて、その浄水化作用が劣化したとき、熱水によって活性炭の浄水化作用を再生することができるのも周知のとおりであるが、熱水を前処理フィルタＡに通し、本フィルタＢに導くと、前処理フィルタＡ内において、その中空糸または不織布の接着剤などの薬品が熱水に溶ける。このため、熱水によって活性炭の浄水化作用を再生させることはできないという問題もある。
【００１１】
【発明の目的】
したがって、この発明は、水道水栓パイプの水道水を前処理フィルタに通し、本フィルタに導き、前処理フィルタおよび本フィルタによって水道水を浄化する浄水器において、前記従来の問題を解決し、水道水を前処理フィルタおよび本フィルタに逆流させ、前処理フィルタおよび本フィルタを個別に洗浄することができるようにすること、前処理フィルタの濾過材を容易に交換することができるようにすること、本フィルタの濾過材にイオン交換樹脂を使用したとき、その軟水化作用を容易に再生することができるようにすること、および本フィルタの濾過材に活性炭を使用したとき、熱水によって活性炭の浄水化作用を再生することができるようにすることを目的としてなされたものである。
【００１２】
【発明の構成】
この発明によれば、水道水栓パイプ（１）の水道水を前処理フィルタ（２）に通し、本フィルタ（３）に導き、前記前処理フィルタ（２）および前記本フィルタ（３）によって前記水道水を浄化する浄水器であって、前記前処理フィルタ（２）と一体の円筒状の弁体（４）を水平に配置されるケーシング（５）の内孔に挿入するとともに、前記ケーシング（５）に第１および第２軸方向位置（Ｘ１），（Ｘ２）を選定し、前記ケーシング（５）の第１軸方向位置（Ｘ１）において、その上壁に第１入口ポート（８）を形成し、下壁に第１出口ポート（１３）を形成し、前記ケーシング（５）の第２軸方向位置（Ｘ２）において、その上壁に第２入口ポート（９）を形成し、下壁に第２出口ポート（１４）を形成し、前記第１および第２入口ポート（８），（９）と前記第１および第２出口ポート（１３），（１４）を互いに１８０°の角度間隔を置いて前記ケーシング（５）の内孔に開口させ、さらに、前記ケーシング（５）の第１軸方向位置（Ｘ１）において、その一側壁に第１接続ポート（１７）を形成し、他側壁に第３出口ポート（２３）を形成し、前記ケーシング（５）の第２軸方向位置（Ｘ２）において、その一側壁に第２接続ポート（１８）を形成し、前記第１および第２接続ポート（１７），（１８）および前記第３出口ポート（２３）を前記第１および第２入口ポート（８），（９）および前記第１および第２出口ポート（１３），（１４）から９０°の角度間隔を置いて前記ケーシング（５）の内孔に開口させ、前記第１接続ポート（１７）を前記本フィルタ（３）の一端（２１）に接続し、前記第２接続ポート（１８）を前記本フィルタ（３） の他端（２２）に接続し、さらに、前記弁体（４）に第１、第２、第３および第４連通路（２４）〜（２７）を形成し、前記第１連通路（２４）の一端（２８）を前記前処理フィルタ（２）の一端（２９）に連通させるとともに、前記第２連通路（２５）の一端（３０）を前記前処理フィルタ（２）の他端（３１）に連通させ、前記ケーシング（５）の第１軸方向位置（Ｘ１）において、前記第１および第２連通路（２４），（２５）の他端（３２），（３３）を互いに９０°の角度間隔を置いて前記弁体（４）の外周面に開口させ、前記ケーシング（５）の第１軸方向位置（Ｘ１）において、前記第３連通路（２６）の一端（３４）を前記第１連通路（２４）の他端（３２）の開口位置から１８０°の角度間隔を置いて前記弁体（４）の外周面に開口させ、前記第３連通路（２６）の他端（３５）を前記第２連通路（２５）の他端（３３）の開口位置から１８０°の角度間隔を置いて前記弁体（４）の外周面に開口させ、さらに、前記ケーシング（５）の第２軸方向位置（Ｘ２）において、前記第４連通路（２７）の一端（３６）を前記第２連通路（２５）の他端（３３）の開口位置に対応する角度位置で前記弁体（４）の外周面に開口させ、前記第４連通路（２７）の他端（３７）を前記第１連通路（２４）の他端（３２）の開口位置から１８０°の角度間隔を置いて前記弁体（４）の外周面に開口させ、前記ケーシング（５）を前記水道水栓パイプ（１）に取り付け、前記第１および第２入口ポート（８），（９）を前記水道水栓パイプ（１）に連通させ、前記水道��栓パイプ（１）の水道水が前記第１入口ポート（８）を通り、前記前処理フィルタ（２）および前記本フィルタ（３）に導かれ、前記前処理フィルタ（２）および前記本フィルタ（３）によって前記水道水が浄化され、その浄水が前記第２出口ポート（１４）に導かれ、排出され、前記前処理フィルタ（２）および前記本フィルタ（３）が洗浄されるとき、前記水道水栓パイプ（１）の水道水が前記第１入口ポート（８）を通り、前記前処理フィルタ（２）に導かれ、前記第３出口ポート（２３）を通り、排出され、前記第２入口ポート（９）を通り、前記本フィルタ（３）に導かれ、前記第１出口ポート（１３）を通り、排出されるようにしたことを特徴とする浄水器が提供される。
【００１３】
さらに、この発明によれば、ケーシングの端壁に第４出口ポートが形成され、弁体に第５連通路が形成され、第５連通路の一端が第４出口ポートに連通する。さらに、ケーシングの第２軸方向位置において、第５連通路の他端が第４連通路の一端の開口位置から１８０°の角度間隔を置いて弁体の外周面に開口する。
【００１４】
【実施例の説明】
以下、この発明の実施例を説明する。
【００１５】
図１において、この浄水器は水道水栓パイプ１の水道水を浄化するためのもので、前処理フィルタ２および本フィルタ３を有し、本フィルタ３は床面または他の設置場所に設置される。さらに、図２に示すように、この浄水器は弁体４およびケーシング５を有する。弁体４は前処理フィルタ２と一体のもので、円筒状であり、ケーシング５の内孔に挿入され、ケーシング５は水平に配置されている。
【００１６】
前処理フィルタ２はカートリッジ式のもので、弁体４にねじ合わされ、取り外し可能に取り付けられている。これによって前処理フィルタ２と弁体４が一体化されているものであり、濾過材はカートリッジに充填されている。したがって、前処理フィルタ２を弁体４から取り外し、カートリッジを前処理フィルタ２から取り出し、新しいカートリッジと交換し、これによって前処理フィルタ２の濾過材を交換することができる。
【００１７】
ケーシング５はゴムパッキン６およびピン７を有する。ゴムパッキン６は弁体４とケーシング５をシールするためのものである。さらに、ケーシング５のピン７が弁体４の外周みぞにはめ込まれており、ピン７によって弁体４が案内され、弁体４はその軸心のまわりを回転することができ、ケーシング５から抜けない。
【００１８】
さらに、ケーシング５に第１および第２軸方向位置Ｘ１，Ｘ２が選定され、ケーシング５の第１軸方向位置Ｘ１において、その上壁に第１入口ポート８が形成され、ケーシング５の第２軸方向位置Ｘ２において、その上壁に第２入口ポート９が形成されている。さらに、水道水栓パイプ１の先端のまわりにおいて、取付カバー１０がケーシング５のねじみぞにねじ合わされ、取付カバー１０によってケーシング５と水道水栓パイプ１が取り付けられ、ゴムパッキン１１によってそれがシールされており、第１および第２入口ポート８，９は連通孔１２および水道水栓パイプ１に連通する。
【００１９】
さらに、ケーシング５の第１軸方向位置Ｘ１において、その下壁に第１出口ポート１３が形成され、ケーシング５の第２軸方向位置Ｘ２において、その下壁に第２出口ポート１４が形成されている。そして、第１および第２入口ポート８，９と第１および第２出口ポート１３，１４が互いに１８０°の角度間隔を置いてケーシング５の内孔に開口している。さらに、排出ヘッド１５がケーシング５のねじみぞにねじ合わされており、第１および第２出口ポート１３，１４は排出ヘッド１５の中央孔１６に連通する。
【００２０】
さらに、図３に示すように、ケーシング５の第１軸方向位置Ｘ１において、その一側壁に第１接続ポート１７が形成され、ケーシング５の第２軸方向位置Ｘ２において、その一側壁に第２接続ポート１８が形成されており、第１および第２接続ポート１７，１８が第１および第２入口ポート８，９および第１および第２出口ポート１３，１４から９０°の角度間隔を置いてケーシング５の内孔に開口している。さらに、ケーシング５の一側壁にニブル１９が設けられ、２本のホース２０によってニブル１９と本フィルタ３が接続されており、第１接続ポート１７は一方のホース２０に接続され、本フィルタ３の一端２１に接続されている。第２接続ポート１８は他方のホース２０に接続され、本フィルタ３の他端２２に接続されている。
【００２１】
この他、ケーシング５の第１軸方向位置Ｘ１において、その他側壁に第３出口ポート２３が形成され、第３出口ポート２３が第１および第２入口ポート８，９および第１および第２出口ポート１３，１４から９０°の角度間隔を置いてケーシング５の内孔に開口している。第１および第２出口ポート１３，１４と同様、第３出口ポート２３も排出ヘッド１５の中央孔１６に連通する。
【００２２】
さらに、弁体４に第１、第２、第３および第４連通路２４，２５，２６，２７が形成されている。第１および第２連通路２４，２５については、第１連通路２４の一端２８が前処理フィルタ２の一端２９に連通し、第２連通路２５の一端３０が前処理フィルタ２の他端３１に連通し、ケーシング５の第１軸方向位置Ｘ１において、第１および第２連通路２４，２５の他端３２，３３が互いに９０°の角度間隔を置いて弁体４の外周面に開口している。第３連通路２６については、ケーシング５の第１軸方向位置Ｘ１において、第３連通路２６の一端３４が第１連通路２４の他端３２の開口位置から１８０°の角度間隔を置いて弁体４の外周面に開口し、他端３５は第２連通路２５の他端３３の開口位置から１８０°の角度間隔を置いて弁体４の外周面に開口している。第４連通路２７については、ケーシング５の第２軸方向位置Ｘ２において、第４連通路２７の一端３６が第２連通路２５の他端３３の開口位置に対応する角度位置で弁体４の外周面に開口し、他端３７は第１連通路２４の他端３２の開口位置から１８０°の角度間隔を置いて弁体４の外周面に開口している。
【００２３】
さらに、この実施例では、ケーシング５の端壁に第４出口ポート３８が形成され、弁体４に第５連通路３９が形成されている。第１、第２および第３出口ポート１３，１４，２３と同様、第４出口ポート３８も排出ヘッド１５の中央孔１６に連通する。第５連通路３９については、その一端４０がケーシング５の第４出口ポート３８に連通し、ケーシング５の第２軸方向位置Ｘ２において、第５連通路３９の他端４１が第４連通路２７の一端３６の開口位置から１８０°の角度間隔を置いて弁体４の外周面に開口している。
【００２４】
なお、この実施例では、前処理フィルタ２および弁体４がＬ字状をなし、前処理フィルタ２は弁体４の軸心に対し直角にのびる。したがって、前処理フィルタ２を弁体４の軸心のまわりに回転させ、前処理フィルタ２によって弁体４を駆動し、回転させることができる。さらに、弁体４とケーシング５間にボール４２およびスプリング４３が設けられ、複数のくぼみ４４が互いに９０°の角度間隔を置いてケーシング５の端面に形成されており、スプリング４３によってボール４２が弾性付勢され、これがケーシング５のくぼみ４４にはめ込まれている。したがって、弁体４が９０°の角度だけ回転する毎に、そのボール４２が各くぼみ４４にはめ込まれ、これによって弁体４の角度位置を確認することができる。
【００２５】
したがって、この浄水器において、前処理フィルタ２を弁体４の軸心のまわりに回転させると、前処理フィルタ２によって弁体４が駆動され、弁体４がケーシング５の内孔内で回転する。そして、前処理フィルタ２および弁体４を図１、図２および図３の角度位置まで回転させると、弁体４のボール４２がケーシング５のくぼみ４４にはめ込まれ、これによって弁体４の角度位置を確認することができる。さらに、弁体４の第１、第２、第３、第４および第５連通路２４，２５，２６，２７，３９のうち、その第１、第２および第４連通路２４，２５，２７が水路として使用され、ケーシング５の第１軸方向位置Ｘ１において、第１連通路２４の他端３２がケーシング５の第１入口ポート８に合致し、連通し、第２連通路２５の他端３３がケーシング５の第１接続ポート１７に合致し、連通する。さらに、ケーシング５の第２軸方向位置Ｘ２において、第４連通路２７の一端３６がケーシング５の第２接続ポート１８に合致し、連通し、他端３７がケーシング５の第２出口ポート１４に合致し、連通する。
【００２６】
したがって、水道水栓パイプ１の水道水がケーシング５の連通孔１２を通り、第１入口ポート８および第１連通路２４を通り、前処理フィルタ２に導かれ、その一端２９に入り、他端３１から排出される。その後、その水道水が第２連通路２５および第１接続ポート１７を通り、一方のホース２０を通り、本処理フィルタ３に導かれ、その一端２１に入り、他端２２から排出される。したがって、前処理フィルタ２および本処理フィルタ３によって水道水が浄化され、その浄水が他方のホース２０を通り、第２接続ポート１８、第４連通路２７および第２出口ポート１４に導かれ、排出ヘッド１５の中央孔１６から排出される。
【００２７】
したがって、たとえば、本処理フィルタ３の濾過材にイオン交換樹脂または活性炭を使用し、水道水が本処理フィルタ３を通るとき、イオン交換樹脂または活性炭によって水道水を浄化し、良質の浄水を得ることができる。さらに、前処理フィルタ２の濾過材に中空糸または不織布を使用し、水道水が本処理フィルタ３に導かれる前、中空糸または不織布によって水藻、ゴミおよび鉄さびを除去することができる。したがって、前処理フィルタ２によって本処理フィルタ３を保護することができ、水藻、ゴミおよび鉄さびは本処理フィルタ３に入らない。したがって、本処理フィルタ３の寿命が長く、経済的である。
【００２８】
さらに、図５、図６および図７に示すように、前処理フィルタ２を図１の角度位置から９０°の角度だけ回転させ、横倒しの状態にすると、弁体４も図１の角度位置から９０°の角度だけ回転し、弁体４のボール４２がケーシング５のくぼみ４４にはめ込まれる。さらに、弁体４の第３および第５連通路２６，３９が水路として使用され、ケーシング５の第１軸方向位置Ｘ１において、第３連通路２６の一端３４がケーシング５の第３出口ポート２３に合致し、連通し、他端３５がケーシング５の第１入口ポート８に合致し、連通する。さらに、ケーシング５の第２軸方向位置Ｘ２において、第５連通路３９の一端４０がケーシング５の第４出口ポート３８に連通し、他端４１はケーシング５の第２入口ポート９に合致し、連通する。
【００２９】
したがって、水道水栓パイプ１の水道水が第１および第２入口ポート８，９、第３および第５連通路２６，３９および第３および第４出口ポート２３，３８を通り、排出ヘッド１５の中央孔１６から排出される。したがって、水道水栓パイプ１の水道水を前処理フィルタ２および本フィルタ３に通さず、そのまま排出することができる。
【００３０】
さらに、図８、図９および図１０に示すように、前処理フィルタ２を図１の角度位置から逆方向に回転させ、９０°の角度だけ回転させると、弁体４も図１の角度位置から９０°の角度だけ回転し、弁体４のボール４２がケーシング５のくぼみ４４にはめ込まれる。さらに、弁体４の第１、第２、第３および第４連通路２４，２５，２６，２７が水路として使用され、ケーシング５の第１軸方向位置Ｘ１において、第１連通路２４の他端３２がケーシング５の第３出口ポート２３に合致し、連通し、第２連通路２５の他端３３がケーシング５の第１入口ポート８に合致し、連通する。さらに、ケーシング５の第１軸方向位置Ｘ１において、第３連通路２６の一端３４がケーシング５の第１接続ポート１７に合致し、連通し、他端３５がケーシング５の第１出口ポート１３に合致し、連通する。これと同時に、ケーシング５の第２軸方向位置Ｘ２において、第４連通路２７の一端３６がケーシング５の第２入口ポート９に合致し、連通し、他端３７がケーシング５の第２接続ポート１８に合致し、連通する。
【００３１】
したがって、水道水栓パイプ１の水道水が第１入口ポート８および第２連通路２５を通り、前処理フィルタ２に導かれ、その他端３１に入り、一端２９から排出される。したがって、水道水が前処理フィルタ２を逆流するものである。さらに、その水道水が第１連通路２４および第３出口ポート２３を通り、排出ヘッド１５の中央孔１６から排出される。したがって、水道水の水藻、ゴミおよび鉄さびによって前処理フィルタ２が汚れたとき、水道水栓パイプ１の水道水を前処理フィルタ２に逆流させ、その逆流によって前処理フィルタ２を洗浄することができる。
【００３２】
これと同時に、水道水栓パイプ１の水道水が第２入口ポート９、第４連通路２７、第２接続ポート１８およびホース２０を通り、本処理フィルタ３に導かれ、その他端２２に入り、一端２１から排出される。したがって、水道水が本フィルタ３を逆流するものである。さらに、その水道水がホース２０、第１接続ポート１７、第３連通路２６および第１出口ポート１３を通り、排出ヘッド１５の中央孔１６から排出される。したがって、水道水の逆流によって本フィルタ３を洗浄することもできる。
【００３３】
したがって、この浄水器の場合、水道水を前処理フィルタ２および本フィルタ３に逆流させ、前処理フィルタ２および本フィルタ３を個別に洗浄することができる。洗浄後、汚れた水道水は排出ヘッド１５の中央孔１６から排出され、それが前処理フィルタ２または本フィルタ３に導かれることはなく、問題はない。しかも、前処理フィルタ２によって弁体４を回転させるだけでよく、それによって前処理フィルタ２および本フィルタ３を洗浄することができ、その操作は簡単である。前処理フィルタ２および本フィルタ３を頻繁に洗浄することもできる。
【００３４】
さらに、この浄水器の前処理フィルタ２については、その濾過材を周期的に交換する必要があるが、水道水栓パイプ１によってケーシング５、弁体４および前処理フィルタ２が支持されており、水道水栓パイプ１のまわりで前処理フィルタ２の濾過材を交換することができる。まず、水道水栓パイプ１のまわりで前処理フィルタ２を操作し、これを弁体４から取り外す。次いで、カートリッジを前処理フィルタ２から取り出し、新しいカートリッジと交換する。その後、前処理フィルタ２を弁体４に取り付ければよく、その作業は容易である。
【００３５】
さらに、本フィルタ３の濾過材にイオン交換樹脂を使用したとき、長期間経過すると、それによってイオン交換樹脂の軟水化作用が劣化するが、その軟水化作用を容易に再生させることもできる。これを達成するには、再生ケースにナトリウムまたはカリウムを充填する。さらに、水道水栓パイプ１のまわりで前処理フィルタ２を操作し、これを弁体４から取り外し、再生ケースと交換し、再生ケースを弁体４に取り付ければよい。その後、前処理フィルタ２および弁体４を図１の角度位置に配置し、水道水栓パイプ１によって水道水を供給すると、その水道水が第１入口ポート８および第１連通路２４を通り、再生ケースの一端に入り、他端から排出される。さらに、その水道水が第２連通路２５および第１接続ポート１７を通り、本処理フィルタ３に導かれ、その一端２１に入り、他端２２から排出され、第２接続ポート１８、第４連通路２７および第２出口ポート１４に導かれ、排出ヘッド１５の中央孔１６から排出される。したがって、ナトリウムまたはカリウムによってイオン交換樹脂の軟水化作用を再生することができる。その後、水道水栓パイプ１のまわりで再生ケースを操作し、これを弁体４から取り外し、前処理フィルタ２と交換し、前処理フィルタ２を弁体４に取り付ければよい。前記従来のように、ホースを再生ケースおよび前処理フィルタ２に接続する必要はなく、その作業は容易である。
【００３６】
濾過材に活性炭を使用した本フィルタ３において、その浄水化作用が劣化したとき、熱水によって活性炭の浄水化作用を再生することもできる。これを達成するには、前処理フィルタ２によって弁体４を駆動し、回転させる。そして、図１１、図１２および図１３に示すように、前処理フィルタ２および弁体４を図１の角度位置から１８０°の角度にわたって回転させると、弁体４のボール４２がケーシング５のくぼみ４４にはめ込まれる。さらに、弁体４の第３および第５連通路２６，３９が水路として使用され、ケーシング５の第１軸方向位置Ｘ１において、第３連通路２６の一端３４がケーシング５の第１入口ポート８に合致し、連通し、他端３５がケーシング５の第１接続ポート１７に合致し、連通する。これと同時に、ケーシング５の第２軸方向位置Ｘ２において、第５連通路３９の一端４０が第４出口ポート３８に連通し、他端４１は第２接続ポート１８に合致し、連通する。
【００３７】
その後、水道水栓パイプ１によって熱水を供給すると、その熱水が第１入口ポート８、第３連通路２６、第１接続ポート１７およびホース２０を通り、本処理フィルタ３に導かれ、その一端２１に入り、他端２２から排出される。したがって、熱水によって活性炭の浄水化作用を再生することができる。さらに、その熱水がホース２０、第２接続ポート１８、第５連通路３９および第４出口ポート３８を通り、排出ヘッド１５の中央孔１６から排出される。したがって、熱水は前処理フィルタ２に導かれず、それを通らず、前処理フィルタ２内において、その中空糸または不織布の接着剤などの薬品が熱水に溶けるという問題はない。
【００３８】
【発明の効果】
以上説明したように、この発明によれば、水道水を前処理フィルタ２および本フィルタ３に逆流させ、前処理フィルタ２および本フィルタ３を個別に洗浄することができる。洗浄後、汚れた水道水は排出ヘッド１５の中央孔１６から排出され、それが前処理フィルタ２または本フィルタ３に導かれることはなく、問題はない。しかも、前処理フィルタ２によって弁体４を回転させるだけでよく、それによって前処理フィルタ２および本フィルタ３を洗浄することができ、その操作は簡単である。前処理フィルタ２および本フィルタ３を頻繁に洗浄することもできる。
【００３９】
さらに、前処理フィルタ２の濾過材を周期的に交換するとき、水道水栓パイプ１のまわりで前処理フィルタ２を操作し、その濾過材を交換することができ、その作業は容易である。さらに、本フィルタ３の濾過材にイオン交換樹脂を使用したとき、水道水栓パイプ１のまわりで前処理フィルタ２を操作し、これを弁体４から取り外し、再生ケースと交換し、再生ケースを弁体４に取り付けると、それによってイオン交換樹脂の軟水化作用を再生することができる。その後、水道水栓パイプ１のまわりで再生ケースを操作し、これを弁体４から取り外し、前処理フィルタ２と交換し、前処理フィルタ２を弁体４に取り付ければよい。ホースを再生ケースおよび前処理フィルタ２に接続する必要はなく、その作業は容易である。
【００４０】
さらに、本フィルタ３の濾過材に活性炭を使用したとき、熱水を本処理フィルタ３に導き、熱水によって活性炭の浄水化作用を再生することもできる。熱水が前処理フィルタ２に導かれ、それを通り、前処理フィルタ２内において、その中空糸または不織布の接着剤などの薬品が熱水に溶けるという問題はなく、所期の目的を達成することができるものである。
【図面の簡単な説明】
【図１】この発明の実施例を示す斜視図である。
【図２】図１の浄水器の縦断面図である。
【図３】図２のＸ１−Ｘ１およびＸ２−Ｘ２横断面図である。
【図４】図１の弁体の側面図である。
【図５】図１の前処理フィルタおよび弁体を９０°の角度だけ回転させた状態を示す斜視図である。
【図６】図５の浄水器の縦断面図である。
【図７】図６のＸ１−Ｘ１およびＸ２−Ｘ２横断面図である。
【図８】図１の前処理フィルタおよび弁体を逆方向に回転させた状態を示す斜視図である。
【図９】図８の浄水器の縦断面図である。
【図１０】図９のＸ１−Ｘ１およびＸ２−Ｘ２横断面図である。
【図１１】図１の前処理フィルタおよび弁体を１８０°の角度にわたって回転させた状態を示す斜視図である。
【図１２】図１１の浄水器の縦断面図である。
【図１３】図１２のＸ１−Ｘ１およびＸ２−Ｘ２横断面図である。
【図１４】従来の浄水器の説明図である。
【図１５】他の浄水器の説明図である。
【図１６】他の浄水器の説明図である。
【符号の説明】
１  水道水栓パイプ
２  前処理フィルタ
３  本フィルタ
４  弁体
５  ケーシング
８  第１入口ポート
９  第２入口ポート
１３  第１出口ポート
１４  第２出口ポート
１７  第１接続ポート
１８  第２接続ポート
２３  第３出口ポート
２４  第１連通路
２５  第２連通路
２６  第３連通路
２７  第４連通路
３８  第４出口ポート
３９  第５連通路
【図１】
0003718292.tif 000002
【図２】
0003718292.tif 000003
【図３】
0003718292.tif 000004
【図４】
0003718292.tif 000005
【図５】
0003718292.tif 000006
【図６】
0003718292.tif 000007
【図７】
0003718292.tif 000008
【図８】
0003718292.tif 000009
【図９】
0003718292.tif 000010
【図１０】
0003718292.tif 000011
【図１１】
0003718292.tif 000012
【図１２】
0003718292.tif 000013
【図１３】
0003718292.tif 000014
【図１４】
0003718292.tif 000015
【図１５】
0003718292.tif 000016
【図１６】
0003718292.tif 000017